(57)【要約】単一のＣＤＭＡ無線アクセスネットワーク（図１の12）は、１よりも多数の加入を必要とせずに、ＧＳＭコア18またはＩＳ−４１コア20のいずれかの加入を有する移動局18、20をサポートするためにハイブリッドＭＳＣ24を使用して、ＧＳＭコア14とＩＳ−４１コア15の両者を伴って使用される。
2005513862.tif 000002
【特許請求の範囲】
【請求項１】
符号分割多元アクセス（ＣＤＭＡ）無線アクセスネットワーク（ＲＡＮ）とＧＳＭコアインフラストラクチャおよびＩＳ−４１コアインフラストラクチャの両者との間の無線通信をサポートするように構成されている移動局交換センタ（ＭＳＣ）において、
ＣＤＭＡ  ＲＡＮと、ＩＳ−４１プロトコルを使用するＩＳ―４１コアインフラストラクチャと通信する第１の回路と、
ＣＤＭＡ  ＲＡＮと、ＧＳＭプロトコルを使用するＧＳＭコアインフラストラクチャと通信する第２の回路とを具備している移動局交換センタ（ＭＳＣ）。
【請求項２】
第１または第２の回路は移動局（ＭＳ）からの少なくとも１つのメッセージに基づいて選択される請求項１記載のＭＳＣ。
【請求項３】
メッセージは位置メッセージである請求項２記載のＭＳＣ。
【請求項４】
位置メッセージは国際移動局加入者識別子（ＩＭＳＩ）を含んでいる請求項３記載のＭＳＣ。
【請求項５】
ＭＳＣはＭＳが加入を有するコアインフラストラクチャを決定するためにＩＭＳＩを使用する請求項４記載のＭＳＣ。
【請求項６】
符号分割多元アクセス（ＣＤＭＡ）無線アクセスネットワーク（ＲＡＮ）と、ＧＳＭコアインフラストラクチャおよびＩＳ−４１コアインフラストラクチャの両者との間で無線通信をサポートするように構成されている状態マシン移動局交換センタ（ＭＳＣ）において、
少なくとも１つのＭＳから受信された少なくとも１つの識別子に基づいて、ＩＳ−４１プロトコルを使用するＩＳ−４１コアインフラストラクチャまたは、ＧＳＭプロトコルを使用するＧＳＭコアインフラストラクチャと通信するために選択的に構成されることができる状態マシンを具備している状態マシン移動局交換センタ（ＭＳＣ）。
【請求項７】
識別子はＭＳからの少なくとも１つのメッセージ中に含まれている請求項６記載のＭＳＣ。
【請求項８】
メッセージは位置メッセージである請求項７記載のＭＳＣ。
【請求項９】
位置メッセージは国際移動局加入者識別子（ＭＳＩ）を含んでいる請求項８記載のＭＳＣ。
【請求項１０】
ＭＳＣはＭＳが加入を有するコアインフラストラクチャを決定するためにＩＭＳＩを使用し、ＭＳＣはしたがってそれ自体を構成する請求項９記載のＭＳＣ。
【請求項１１】
ＣＤＭＡ  ＲＡＮと、
ＧＳＭコアインフラストラクチャと、
ＣＤＭＡコアインフラストラクチャと、
ＣＤＭＡ  ＲＡＮを両方のインフラストラクチャに相互接続するＭＳＣとを具備している通信システム。
【請求項１２】
ＭＳＣは、
ＣＤＭＡ  ＲＡＮと、ＩＳ−４１プロトコルを使用するＩＳ―４１コアインフラストラクチャと通信する第１の回路と、
ＣＤＭＡ  ＲＡＮと、ＧＳＭプロトコルを使用するＧＳＭコアインフラストラクチャと通信する第２の回路とを含んでいる請求項１１記載のシステム。
【請求項１３】
第１または第２の回路は移動局（ＭＳ）からの少なくとも１つのメッセージに基づいて選択される請求項１２記載のシステム。
【請求項１４】
メッセージは位置メッセージである請求項１３記載のシステム。
【請求項１５】
位置メッセージは国際移動局加入者識別子（ＩＭＳＩ）を含んでいる請求項１４記載のシステム。
【請求項１６】
ＭＳＣはＭＳが加入を有するコアインフラストラクチャを決定するためにＩＭＳＩを使用する請求項１５記載のシステム。
【請求項１７】
ＭＳＣは、少なくとも１つのＭＳから受信された少なくとも１つの識別子に基づいて、ＩＳ−４１プロトコルを使用するＩＳ−４１コアインフラストラクチャおよび、ＧＳＭプロトコルを使用するＧＳＭコアインフラストラクチャと通信するために選択的に構成されることができる状態マシンである請求項１１記載のシステム。
【請求項１８】
ＭＳが１よりも多数の加入を有することを必要とせずに、ＧＳＭコアインフラストラクチャに加入を有する第１の無線移動局（ＭＳ）と、ＣＤＭＡインフラストラクチャに加入を有する第２の無線ＭＳと通信を行う方法において、
少なくとも１つのＭＳから少なくとも１つの識別子をＭＳＣにおいて受信し、
識別子に基づいて、ＭＳが加入を有するコアインフラストラクチャを決定し、
ＭＳＣを通してＭＳが加入を有するコアインフラストラクチャからの情報を使用してＭＳを認証し、
ＭＳが加入を有するコアインフラストラクチャを使用してアカウントデータを集収するステップを含んでいる方法。
【請求項１９】
受信動作はＣＤＭＡ  ＲＡＮを使用して行われる請求項１８記載の方法。
【請求項２０】
識別子はＩＭＳＩである請求項１８記載の方法。
【請求項２１】
さらに、関連するコアインフラストラクチャにより集収されたアカウントデータを使用してＭＳのユーザに料金を請求するステップを含んでいる請求項１８記載の方法。
【請求項２２】
決定動作に基づいて、
ＭＳがＧＳＭコアインフラストラクチャ中に加入を有するときには認証動作の少なくとも一部でＧＳＭプロトコルを使用し、そうでなければ、ＭＳがＣＤＭＡコアインフラストラクチャ中に加入を有するときには認証動作の少なくとも一部でＩＳ−４１プロトコルを使用するステップを含んでいる請求項１８記載の方法。
【請求項２３】
ＭＳから識別子を受信する手段と、
ＭＳがＧＳＭコアインフラストラクチャまたはＣＤＭＡコアインフラストラクチャ中に加入を有するか否かを決定するために識別子を使用する手段と、
両方のコアインフラストラクチャと通信する手段とを具備している無線通信システムの移動局交換センタ。
【請求項２４】
識別子を含む少なくとも１つの記憶装置と、
識別子をＣＤＭＡ無線アクセスネットワーク（ＲＡＮ）に通信する少なくとも１つの無線装置と、
ＧＳＭコアインフラストラクチャ中のただ１つの唯一の加入とを有している無線移動局（ＭＳ）。
【請求項２５】
ＭＳはＣＤＭＡ  ＲＡＮを使用して移動局交換センタ（ＭＳＣ）と通信し、ＭＳがＣＤＭＡコアインフラストラクチャによりサービスされる領域に位置される場合にはＧＳＭコアインフラストラクチャとの認証を実行する請求項２４記載のＭＳ。
【請求項２６】
識別子は国際移動局加入者識別子（ＩＭＳＩ）である請求項２４記載のＭＳ。
【請求項２７】
ＭＳは位置更新メッセージの一部としてＩＭＳＩを送信する請求項２６記載のＭＳ。
【発明の詳細な説明】
【技術分野】
【０００１】
本発明は一般的に無線通信システムに関し、特にＣＤＭＡコアネットワークとＧＳＭコアネットワークとの両者を有する単一のＣＤＭＡ無線アクセスネットワークを使用するシステムに関する。
【背景技術】
【０００２】
本出願は、2001年12月14日出願の米国特許出願第60/340,448号明細書から優先権を主張している。
【０００３】
符号分割多元アクセス（ＣＤＭＡ）は他の無線通信技術よりも比較的大きい帯域幅容量を本質的に有し、すなわち周波数帯域当りより多くの電話呼のサービスを許容するデジタル無線技術である。さらに、ＣＤＭＡの拡散スペクトル原理は秘密保持された通信を本質的に提供する。ここで参考文献とする米国特許第4,901,307号明細書はＣＤＭＡシステムの詳細を説明し、これは音声呼と非音声のコンピュータデータとの両者の送信に使用されることができる。
【０００４】
ＣＤＭＡの利点にかかわらず、他の原理を使用する他の無線システムが存在する。例えば、多くの世界では、ＧＳＭが使用されており、これは時分割多重アクセスのバージョンを使用する。
【０００５】
ＣＤＭＡ原理または他の無線原理のいずれが使用されるかは、無線通信システムが２つの主要なコンポーネント、即ち無線アクセスネットワーク（ＲＡＮ）と、ＲＡＮおよび公共交換電話網（ＰＳＴＮ）、インターネット等（特にデータ呼で排他的であるが）のような外部システムと通信するコアインフラストラクチャを有するとして考えることができる。種々の無線技術に関連するコアインフラストラクチャは、ハードウェアと、特定化された、典型的にシステム特有の呼切換え、加入、付随する認証、呼監視、料金請求をサポートするための通信プロトコルの開発との両者に関して、非常に高価である。したがって、１つの無線システムの通信プロトコル（ＧＳＭ、ＧＳＭプロトコルの場合とｃｄｍａ２０００−１ｘ、ＩＳ−４１プロトコルのようなＣＤＭＡの場合）は１つのシステムまたはその他のコアインフラストラクチャで非常に高価な変更をしなければ別のシステムのプロトコルと両立しない。
【発明の開示】
【発明が解決しようとする課題】
【０００６】
前述の説明から、本発明は、ＧＳＭは世界中の多くで存在するので、ＣＤＭＡコアインフラストラクチャだけでなくＧＳＭベースのコアインフラストラクチャにより、その付随する利点を伴ってＣＤＭＡベースのＲＡＮの使用を可能にすることが所望されていることを認識している。本発明はさらに、ＧＳＭコアインフラストラクチャの通信プロトコルを変更する必要性を除去しないならば、前述の説明を考慮してそれを最小にすることが望ましいことを認識する。
【０００７】
さらに、本発明はＣＤＭＡ  ＲＡＮと効率的にインターフェースするデュアルモード移動局が例えば欧州にあるときはＧＳＭコアインフラストラクチャを使用するように提供され、例えば米国ではＣＤＭＡインフラストラクチャを使用するように提供されることを認識する。残念ながら、これまでこのような移動局はＧＳＭシステムの加入および電話番号と、別のＣＤＭＡの加入および電話番号を必要とする。これはユーザの立場からは複雑性とコストとの両者を増加する。本発明はＣＤＭＡコアおよびＧＳＭコアの両者で加入を必要とせずにデュアルモードＣＤＭＡ移動局の使用を許容することが望ましいことを認識する。
【課題を解決するための手段】
【０００８】
移動局交換センタ（ＭＳＣ）は符号分割多元アクセス（ＣＤＭＡ）無線アクセスネットワーク（ＲＡＮ）とＧＳＭコアインフラストラクチャおよびＩＳ−４１コアインフラストラクチャとの両者との間の無線通信をサポートするように構成される。ＭＳＣはＣＤＭＡ  ＲＡＮと、ＩＳ−４１プロトコルを使用するＩＳ―４１コアインフラストラクチャと通信する第１の回路を含んでいる。また、ＭＳＣはＣＤＭＡ  ＲＡＮと、ＧＳＭプロトコルを使用するＧＳＭコアインフラストラクチャと通信する第２の回路を含んでいる。
【０００９】
好ましい実施形態では、第１または第２の回路は移動局（ＭＳ）からの位置メッセージのようなメッセージに基づいて選択される。位置メッセージは国際移動局加入者識別子（ＩＭＳＩ）を含むことができ、ＭＳＣはＭＳが加入を有するコアインフラストラクチャを決定するためにＩＭＳＩを使用できる。
【００１０】
別つの特徴では、状態マシン移動局交換センタ（ＭＳＣ）は符号分割多元アクセス（ＣＤＭＡ）無線アクセスネットワーク（ＲＡＮ）と、ＧＳＭコアインフラストラクチャおよびＩＳ−４１コアインフラストラクチャの両者との間で無線通信をサポートするように構成されている。ＭＳＣは通信しているＭＳから受信された識別子に基づいて、ＩＳ−４１プロトコルを使用するＩＳ−４１コアインフラストラクチャまたは、ＧＳＭプロトコルを使用するＧＳＭコアインフラストラクチャと通信するように選択的に構成されることができる状態マシンを含んでいる。
【００１１】
別の特徴では、通信システムはＣＤＭＡ、ＲＡＮ、ＧＳＭコアインフラストラクチャおよびＣＤＭＡコアインフラストラクチャを含んでいる。ＭＳＣはＣＤＭＡ  ＲＡＮを両方のインフラストラクチャに相互接続する。
【００１２】
別の特徴では、ＭＳが１よりも多数の加入を有することを必要とせずに、ＧＳＭコアインフラストラクチャ中に加入を有する第１の無線移動局（ＭＳ）と、ＣＤＭＡインフラストラクチャ中に加入を有する第２の無線ＭＳと通信を行う方法は、ＭＳＣでＭＳから識別子を決定する。その識別子に基づいて、方法はＭＳが加入を有するコアインフラストラクチャを決定する。その方法はその後、ＭＳＣを通してＭＳが加入を有するコアインフラストラクチャからの情報を使用してＭＳを認証する。アカウントデータはＭＳが加入を有するコアインフラストラクチャを使用して集収される。
【００１３】
別の特徴では、無線通信システムの移動局交換センタは、ＭＳから識別子を受信する手段と、ＭＳがＧＳＭコアインフラストラクチャまたはＣＤＭＡコアインフラストラクチャ中に加入を有するか否かを決定するために識別子を使用する手段とを含んでいる。それらの手段は両方のコアインフラストラクチャと通信するために設けられている。
【００１４】
別の特徴では、無線移動局（ＭＳ）はＩＭＳＩのような識別子を記憶する記憶装置を含んでいる。ＭＳに関連する無線装置は識別子をＣＤＭＡ無線アクセスネットワーク（ＲＡＮ）に通知し、ＭＳはただ１つの加入をＧＳＭコアインフラストラクに有する。
【００１５】
本発明の詳細は、その構造および動作の両者に関して、添付図面を参照して最良に理解されることができ、図面において同一の参照符号は類似の部分を指している。
【発明を実施するための最良の形態】
【００１６】
最初に、図１を参照すると、符号分割多元アクセス（ＣＤＭＡ）無線アクセスネットワーク（ＲＡＮ）12と、ＧＳＭコアインフラストラクチャ14とＩＳ−４１コアインフラストラクチャ15との両者の間で、音声およびコンピュータデータ通信を含んだ通信を促進するための、全体を10で示したシステムが示されている。これらＧＳＭコアインフラストラクチャ14とＩＳ−４１コアインフラストラクチャ15は公共交換電話網（ＰＳＴＮ）のようなデータネットワークおよび／または例えばインターネットのようなインターネットプロトコル（ＩＰ）ネットワーク16と通信できる。ＧＳＭコアインフラストラクチャ14は技術で知られているＧＳＭ原理にしたがって、加入者移動局を認証し、特定のＧＳＭコアインフラストラクチャ14により必要とされるようなアカウントおよび料金請求情報を集めるためＧＳＭ認証センタ14aとＧＳＭホーム位置レジスタ（ＨＬＲ）14bを含むかそれにアクセスできる。同様に、ＩＳ−４１コアインフラストラクチャ15は技術で知られているＩＳ−４１原理にしたがって、加入者移動局を認証し、特定のＩＳ−４１コアインフラストラクチャ15により必要とされるようなアカウントおよび料金請求情報を集めるためＩＳ−４１認証センタ15aとＩＳ−４１ホーム位置レジスタ（ＨＬＲ）15bを含むかそれにアクセスできる。
【００１７】
技術で知られているＣＤＭＡ原理にしたがって、ＣＤＭＡ  ＲＡＮは基地局と基地局制御装置を含んでいる。図１に示されている好ましいＣＤＭＡ  ＲＡＮ12はｃｄｍａ２０００を使用し、特にｃｄｍａ２０００  １ｘ、ｃｄｍａ２０００  ３ｘ、またはｃｄｍａ２０００高データ速度（ＨＤＲ）原理を使用する。
【００１８】
図１に示されているように、ＣＤＭＡ  ＲＡＮ12は少なくとも１つのＧＳＭエネーブルされたデュアルモードＣＤＭＡ移動局（ＭＳ）18と少なくとも１つの単一またはデュアルモードＣＤＭＡ  ＭＳ20との無線通信をサポートする。ＧＳＭエネーブルされたＭＳ18は技術で知られているＧＳＭ原理にしたがって、加入者アイデンティティモジュール（ＳＩＭ）22と結合または結合を解放されることができる。図１に示されている図示の実施形態では、ＧＳＭエネーブルされたＭＳ18はＧＳＭコアインフラストラクチャ14で加入を有するが、ＩＳ−４１コアインフラストラクチャ15中に加入を有する必要はない。対照的に、ＩＳ−４１  ＭＳ20はＩＳ−４１コアインフラストラクチャ15中に加入を有するが、ＧＳＭコアインフラストラクチャ14中に加入を有する必要はない。
【００１９】
１つの限定的ではない実施形態では、ＭＳ18、20に一方または両者は京セラ、サムソン、またはその他の製造業者により製造される移動局電話機であり、符号分割多元アクセス（ＣＤＭＡ）原理およびＣＤＭＡ無線（ＯＴＡ）通信エアインターフェースを使用する。しかしながら、本発明はラップトップコンピュータ、無線ハンドセットまたは電話機、データトランシーバ、またはページングおよび位置決定受信機のような他の移動局へ適用する。移動局は、所望ならばハンドヘルドまたは（自動車、トラック、ボート、航空機、列車を含む）ビークルに取付けられるようにポータブルであることができる。しかしながら、無線通信装置は通常、移動局として見られるが、本発明は幾つかの構造の“固定した”装置に適用されることができることが理解されよう。また本発明はデジタル化されたビデオ情報を含む音声および／またはデータ情報の転送に使用されるデータモジュールまたはモデムに適用し、有線または無線リンクを使用して他の装置と通信できる。さらに、コマンドは多数の通信チャンネルによって情報を転送するために予め定められた調整されたまたは関連された方法で、モデムまたはモジュールを動作させるために使用される。無線通信装置はまた時には、ユーザ端末、移動局、移動局装置、加入者装置、移動局無線または無線電話機、無線装置、または単に幾つかの通信システムでは“ユーザ”および“移動局”と呼ばれる。
【００２０】
各コアインフラストラクチャ14、15とＣＤＭＡ  ＲＡＮ12との相互接続はハイブリッド移動局交換センタ（ＭＳＣ）24である。さらに以下説明するように、ＭＳＣ24は、ＧＳＭコアインフラストラクチャ14と通信するためのＧＳＭ原理およびプロトコルと、ＩＳ−４１コアインフラストラクチャ15と通信するためのＩＳ−４１原理およびプロトコルとを使用する点で、ハイブリッドＭＳＣである。図３を簡単に参照すると、ＭＳＣ24は、以下説明するＩＭＳＩメッセージが、ＭＳがＧＳＭコアインフラストラクチャ14中に加入を有していることを示すときＧＳＭコアインフラストラクチャ14と通信するＧＳＭ  ＭＳＣ回路によって構成され、および以下説明するＩＭＳＩメッセージが、ＭＳがＩＳ−４１コアインフラストラクチャ15中に加入を有していることを示すときＩＳ−４１コアインフラストラクチャ15と通信するＩＳ−４１回路によって構成されることができる。図４で示されている別の限定的ではない実施形態では、ＭＳＣ24は単一の状態マシンであり、特に、以下詳細に説明するように、サービスされる特定のＭＳにしたがって、ＧＳＭ状態またはＩＳ−４１状態を選択的にとるＧＳＭ  ＭＳＣとＩＳ−４１ＭＳＣのスーパーセットである。
【００２１】
システム10、特にＭＳＣ24の論理は図２を参照して見ることができる。ブロック26で開始すると、ＭＳ18、20の１つはＣＤＭＡ  ＲＡＮ12を使用してメッセージをＭＳＣ24へ送信し、メッセージは国際移動局加入者識別子（ＩＭＳＩ）のようなＭＳの識別を含んでいる。ＭＳにより送信されるメッセージは例えば位置更新メッセージである。
【００２２】
ブロック28に進み、ＭＳＣ24はＩＭＳＩに基づいて、通信しているＭＳがＧＳＭコアインフラストラクチャ14またはＩＳ−４１コアインフラストラクチャ15に加入を有するかを決定する。これを行う１方法はＭＳＣに関連するデータレポジトリをアクセスすることであり、そのレポジトリはＩＭＳＩをＨＬＲ（およびそれらの付随するコア）に相関する。別の方法はＩＭＳＩをＧＳＭコアインフラストラクチャ14とＩＳ−４１コアインフラストラクチャ15との両者に通信し、通信しているＭＳが属すコアはＭＳＣ24に応答する。
【００２３】
いずれにせよ、ブロック30で、ＧＳＭエネーブルされたＭＳ18がＭＳと通信中であるならば、好ましいＭＳＣ24はそのＧＳＭ状態をとり、ＧＳＭコアインフラストラクチャ14および関連するＧＳＭ  ＡＵＣ14aとＧＳＭ  ＨＬＲ14bをアクセスすることにより、技術で知られているＧＳＭプロトコルおよび認証原理を使用してＭＳ18を認証する。他方で、ＩＳ−４１  ＭＳ20がＭＳと通信しているならば、好ましいＭＳＣ24はそのＩＳ−４１状態をとり、ＩＳ−４１コアインフラストラクチャ15および関連するＩＳ−４１  ＡＵＣ15aとＩＳ−４１  ＨＬＲ15bをアクセスすることにより、技術で知られているＩＳ−４１プロトコルおよび認証原理を使用してＭＳ20を認証する。したがって、ＧＳＭエネーブルされたＭＳ18はそれがＣＤＭＡコアインフラストラクチャ15により他の方法でサービスされる領域に位置されながら、ＧＳＭコアインフラストラクチャ14を有するＭＳＣ24を通してそれ自体を認証できることが認識される。換言すると、ＧＳＭエネーブルされたＭＳ18はＧＳＭ領域からＩＳ−４１へ移動でき、ＩＳ−４１コアの加入をもたずにサービスされる。
【００２４】
ブロック32で、ＧＳＭエネーブルされたＭＳ18が認証されるとき、ＧＳＭコアインフラストラクチャ14は呼中に、アカウント／料金請求データを集め、呼はＭＳＣ24を通して接続され、サービスはブロック34で提供される。ユーザはその結果、ブロック36でＧＳＭコアインフラストラクチャ14を使用して料金請求される。対照的に、ＩＳ−４１  ＭＳ20が認証されるとき、ＩＳ−４１コアインフラストラクチャ15は呼中に、アカウント／料金請求データを集め、呼はＭＳＣ24を通して接続され、サービスはブロック34で提供される。ユーザはその結果、ブロック36でＩＳ−４１コアインフラストラクチャ15を使用して料金請求される。
【００２５】
ここで示し、詳細に説明した特別な結合されたＧＳＭ／ＩＳ−４１のためのハイブリッド移動局交換センタは本発明の前述の目的を十分に達成することができるが、本発明のこの好ましい実施形態と、代表的な主要な事項が本発明により広く考慮され、本発明の技術的範囲は当業者に明白になる他の実施形態を十分に含み、本発明の技術的範囲はしたがって特許請求の範囲以外のものにより限定されないことが理解され、ここでは単数のエレメントの参照は明示的に述べられていない場合には“１およびただ１つ”を意味せず、“１以上”を意味することを意図する。当業者に知られているか後に知られるようになる前述の好ましい実施形態のエレメントに対する全ての構造上および機能的な等価物はここでは参考として表され、本発明の特許請求の範囲に含まれることが意図されている。さらに装置および方法について本発明により解決されることを求められた各およびそれぞれの問題を解決することは必要ではなく、本発明の特許請求の範囲により含まれていればよい。さらに、本発明の説明のエレメント、コンポーネントまたは方法ステップはそれらが特許請求の範囲で明白に述べられているか否かにかかわりなく公共用に供することを目的としない。ここで特許請求の範囲に記載されたエレメントには、エレメントが語句“手段”を使用して述べられないならば３５Ｕ．Ｓ．Ｃ  １１２、第６段落の暫定下にしたがうものはなく、または方法の発明の場合には、エレメントは“動作”の代わりに“ステップ”として述べられている。
【図面の簡単な説明】
【００２６】
【図１】ＧＳＭコアインフラストラクチャとＣＤＭＡコアインフラストラクチャとの間での放浪を容易にするための本発明のシステムのブロック図。
【図２】本発明の論理のフローチャート。
【図３】ＩＳ−４１回路および分離したＧＳＭ回路を有する本発明のＭＳＣの１タイプの概略図。
【図４】ＩＳ−４１構造またはＧＳＭ構造を選択的にとることができる単一の状態マシンを有する本発明の第２のタイプのＭＳＣの概略図。
【図１】
2005513862.tif 000003
【図２】
2005513862.tif 000004
【図３】
2005513862.tif 000005
【図４】
2005513862.tif 000006
【国際調査報告】
2005513862.tif 000007